(57)【要約】【課題】  割りピンのピン孔への取り付け作業を容易に、効率よく行うことが可能なペンチを提供する。【解決手段】  割りピン１５を開くためのペンチ１であって、操作部７の操作に応じて開閉する一対の掴み６ａ、６ｂからなる掴み部6を備え、前記一方の掴み６ａの先端には、前記割りピン１５の頭部１６の内側に嵌合される嵌合突起８が設けられ、前記他方の掴み６ｂの先端には、前記割りピン１５の２本の脚部１７、１８間に押し込まれることにより、両脚部１７、１８間を開いて所定の角度に折り曲げる係合突起１０が設けられている。嵌合突起８は、先端が尖った円錐形状に形成されている。係合突起１０は、両掴み６ａ、６ｂの開閉方向に対して所定の角度をなす第１傾斜面１１と第２傾斜面１２の２つの傾斜面を有している。【選択図】        図１
2013240836.tif 000002
【特許請求の範囲】
【請求項１】
割りピンを開くためのペンチであって、
操作部の操作に応じて開閉する一対の掴みからなる掴み部を備え、
前記一方の掴みの先端には、前記割りピンの頭部の内側に嵌合される嵌合突起が設けられ、前記他方の掴みの先端には、前記割りピンの２本の脚部間に押し込まれることにより、両脚部間を開いて所定の角度に折り曲げる係合突起が設けられていることを特徴とするペンチ。
【請求項２】
前記嵌合突起は、先端が尖った円錐形状に形成されていることを特徴とする請求項１に記載のペンチ。
【請求項３】
前記嵌合突起の周面には、滑り止めが設けられていることを特徴とする請求項２に記載のペンチ。
【請求項４】
前記係合突起は、前記両掴みの開閉方向に対して所定の角度をなす第１傾斜面と第２傾斜面の２つの傾斜面を有していることを特徴とする請求項１〜３の何れか１項に記載のペンチ。
【請求項５】
前記第１傾斜面は、前記両掴みの開閉方向と同一方向を向き、又は前記両掴みの開閉方向に対して所定の角度をなす先端側傾斜面と、先端側傾斜面に連続するとともに、前記両掴みの開閉方向に対して所定の角度をなす後端側傾斜面とからなることを特徴とする請求項４に記載のペンチ。
【発明の詳細な説明】
【技術分野】
【０００１】
本発明は、ペンチに関し、特に、割りピンの先端を開いて折り曲げるのに好適なペンチに関する。
【背景技術】
【０００２】
送電鉄塔に送電線を支持するとともに、送電鉄塔と送電線とを絶縁するために用いられる架線金具の碍子連は、複数枚の碍子を連結金具によって直列に連結することにより、所定の長さに形成されている。例えば、クレビス型の複数枚の碍子を直列に連結してなる碍子連の場合には、隣接する一方の碍子のＵ型金具と他方の碍子のＩ型金具とを合わせ、Ｕ型金具のピン挿通孔とＩ型金具のピン挿通孔との間に連結ピンを挿入し、Ｕ型金具から突出させた連結ピンの先端のピン孔内に割りピンを挿入し、ピン孔から突出させた割りピンの先端を開いて折り曲げることにより、割りピンを連結ピンのピン孔に取り付けし、隣接する２枚の碍子間を連結している。
【０００３】
このような碍子の連結作業は、割りピンを連結ピンのピン孔に取り付けするための専用の工具がないため、例えば、市販のペンチを用い、ペンチの先端の部分で割りピンの先端を掴んで開き、所定の角度以上に折り曲げることにより、割りピンを連結ピンのピン孔に取り付けている。
【０００４】
ところで、上記のような碍子の連結作業は、碍子間の狭い箇所に割りピンを挿入して、先端を開いて折り曲げる必要があるため、市販のペンチでは作業効率が悪く、割りピンの取り付け作業に手間がかかる。また、碍子間の狭い箇所での作業となるため、ペンチや割りピン等を誤って落下させたり、ペンチが碍子の陶器の部分に当たって、陶器の部分を損傷させるおそれがある。
【０００５】
さらに、割りピンの合否判定基準の判定指針によれば、「割りピンは、ピン孔内に完全に挿入され、かつ先端が４５°以上に開かれている」ことが必要であるが、この判定基準を満たしているか否かは作業者の目視によるため、作業者によって多少の誤差が生じる。このため、点検作業の際に、割りピンの挿入不足、割りピンの開き不足が発見されることがあり、そのような場合には、補修作業が必要となるが、送電線路を停電させる必要があるため、補修作業に制約がかかる。
【０００６】
特許文献１には、一端間が接近又は離反するように構成された一対のアームを備え、一方のアームの一端側に、他方のアームに向けて開口するピン嵌合凹部が設けられ、他方のアームの一端側に、ピン嵌合凹部と相対する尖頭突出部が設けられたペンチが記載されている。
【０００７】
このような構成のペンチによれば、軸のピン挿入孔内に割りピンを挿入し、ペンチの一方のアームのピン嵌合凹部に割りピンの頭部を合わせ、他方のアームの尖頭突出部を割りピンの脚部の先端に合わせ、ペンチの両アームを接近する方向に動かすことにより、割りピンの脚部の先端を開いて折り曲げることができる。
【０００８】
しかし、上記のような構成のペンチを碍子の連結作業に用いた場合、ペンチのピン嵌合凹部に割りピンの頭部を合わせ、尖頭突出部に脚部を合わせるのに手間がかかる。また、送電鉄塔上での高所作業では、ペンチや割りピンを誤って落下させたり、ペンチが碍子の陶器の部分に当たって、陶器の部分を損傷させるおそれがある。
【先行技術文献】
【特許文献】
【０００９】
【特許文献１】特開２０１１−１５２６０７号公報
【発明の概要】
【発明が解決しようとする課題】
【００１０】
本発明は、上記のような従来の問題に鑑みなされたものであって、碍子連の隣接する碍子間の連結作業を容易に行うことができるペンチを提供することを目的とする。
【課題を解決するための手段】
【００１１】
上記のような課題を解決するために、本発明は、以下のような手段を採用している。
すなわち、本発明は、割りピンを開くためのペンチであって、操作部の操作に応じて開閉する一対の掴みからなる掴み部を備え、前記一方の掴みの先端には、前記割りピンの頭部の内側に嵌合される嵌合突起が設けられ、前記他方の掴みの先端には、前記割りピンの２本の脚部間に押し込まれることにより、両脚部間を開いて所定の角度に折り曲げる係合突起が設けられていることを特徴とする。
【００１２】
本発明のペンチによれば、割りピンをピン孔内に挿入し、割りピンの頭部の内側にペンチの一方の掴みの先端の嵌合突起を嵌合させ、この状態で、操作部の操作によって両掴みを閉じる方向に動かし、他方の掴みの先端の係合突起を両脚部間に押し込むことにより、両脚部間を開いて所定の角度に折り曲げることができる。
従って、送電鉄塔上で行う碍子連の隣接する碍子間の連結作業に用いた場合には、割りピンを誤って落下させるようなことはなく、ペンチで碍子の陶器の部分を損傷させるようなこともなく、碍子間の狭い箇所での連結ピンの取り付け作業を容易に、効率よく行うことができる。
【００１３】
また、本発明において、前記嵌合突起は、先端が尖った円錐形状に形成されていることとしてもよい。
【００１４】
本発明のペンチによれば、嵌合突起は、先端が尖った円錐形状に形成されているので、割りピンの頭部の内側へ容易に嵌合させることができる。
【００１５】
また、本発明において、前記嵌合突起の周面には、滑り止めが設けられていることとしてもよい。
【００１６】
本発明のペンチによれば、嵌合突起の周面の滑り止めにより、嵌合突起と割りピンの頭部の内面側との摩擦力を高めることができ、割りピンが嵌合突起から脱落するのを防止できる。
【００１７】
また、本発明において、前記係合突起は、前記両掴みの開閉方向に対して所定の角度をなす第１傾斜面と第２傾斜面の２つの傾斜面を有していることとしてもよい。
【００１８】
本発明のペンチによれば、係合突起を割りピンの脚部間に押し込むことにより、係合突起の第１傾斜面と第２傾斜面とによって割りピンの先端間が開かれて所定の角度に折り曲げられることになる。
【００１９】
さらに、本発明において、前記第１傾斜面は、前記両掴みの開閉方向と同一方向を向き、又は前記両掴みの開閉方向に対して所定の角度をなす先端側傾斜面と、先端側傾斜面に連続するとともに、前記両掴みの開閉方向に対して所定の角度をなす後端側傾斜面とからなることとしてもよい。
【００２０】
本発明のペンチによれば、割りピンの脚部間は、まず、係合突起の第１傾斜面の先端側傾斜面と第２傾斜面の先端側の部分とによって開かれ、その後に、第１傾斜面の後端側傾斜面と第２傾斜面の後端側の部分とによって更に開かれ、所定の角度に折り曲げられることになる。
【発明の効果】
【００２１】
以上、説明したように、本発明のペンチによれば、ピン孔への割りピンの取り付け作業を容易に、効率よく行うことができる。
【図面の簡単な説明】
【００２２】
【図１】本発明によるペンチの一実施の形態の全体を示した平面図である。
【図２】図１のＡ−Ａ線断面図である。
【図３】図１のペンチによる割りピンの取り付け作業を示した説明図であって、割りピンをピン孔内に挿入した状態を示した説明図である。
【図４】ペンチの嵌合突起を割りピンの頭部に嵌合させ、係合突起の先端を割りピンの両脚部間に位置させた状態を示した説明図である。
【図５】係合突起の先端側を割りピンの両脚部間に押し込んだ状態を示した説明図である。
【図６】係合突起の全体を割りピンの両脚部間に更に押し込み、両脚部を所定の角度に折り曲げた状態を示した説明図である。
【発明を実施するための形態】
【００２３】
以下、図面を参照しながら本発明の実施の形態について説明する。
図１及び図２には、本発明によるペンチの一実施の形態が示されている。本実施の形態のペンチ１は、例えば、送電鉄塔に送電線を支持するとともに、かつ送電鉄塔と送電線とを絶縁するために用いられる架線金具の碍子連の連結作業に使用される。
【００２４】
碍子連は、複数枚の碍子を連結金具によって直列に連結したものであって、例えば、クレビス型の碍子の場合には、図３に示すように、隣接する一方の碍子のＵ型金具と他方の碍子のＩ型金具とを合わせ、Ｕ型金具のピン挿通孔とＩ型金具のピン挿通孔との間に連結ピン２０を挿入し、Ｕ型金具から突出させた連結ピン２０の先端のピン孔２１内に割りピン１５を挿入し、ピン孔２１から突出させた割りピン１５の先端の部分を開いて折り曲げることにより、割りピン１５を連結ピン２０のピン孔２１に取り付けている。
【００２５】
ここで、割りピン１５は、例えば、ＪＩＳ  Ｂ１３５１に規定される割ピンであって、環状の頭部１６と、頭部１６から延出する長さの異なる２本の脚部１７、１８とから構成されている。割りピン１５の２本の脚部１７、１８をピン孔２１内に挿入し、頭部１６をピン孔２１の一端開口に係止させ、ピン孔２１の他端開口から突出させた２本の脚部１７、１８の先端の部分を開いて折り曲げることにより、割りピン１５をピン孔２１内に取り付けることができる。この割りピン１５のピン孔２１への取り付け作業に本実施の形態のペンチ１が使用される。
【００２６】
本実施の形態のペンチ１は、図１及び図２に示すように、一対の棒状のステー２ａ、２ｂをＸ状に交差させて、両ステー２ａ、２ｂを軸受３を介して回動自在（開閉自在）に連結したものであって、両ステーの２ａ、２ｂ軸受３よりも左側の部分で一対の掴み６ａ、６ｂからなる掴み部６を構成し、両ステー２ａ、２ｂの軸受３よりも右側の部分で一対の柄７ａ、７ｂからなる操作部７を構成したものである。操作部７の両柄７ａ、７ｂを開閉させることにより、操作部７の両柄７ａ、７ｂの操作に応じて、掴み部６の両掴み６ａ、６ｂを開閉させることができる。
【００２７】
軸受３は、例えば、両ステーの２ａ、２ｂ交差部分にそれぞれ一体に設けられる筒状のブッシュ４と、両ブッシュ４、４間に挿着される丸棒状の支持軸５とから構成されている。支持軸５の軸周りに両ブッシュ４、４を回動させることにより、両ブッシュ４、４を介して両ステー２ａ、２ｂを支持軸５の軸周りに回動させることができ、掴み部６の両掴み６ａ、６ｂを開閉させることができる。
なお、軸受３は、ブッシュ４と支持軸５との組み合わせに限らず、両ステー２ａ、２ｂを回動自在に連結できる構成のものであればよい。
【００２８】
掴み部６の両掴み６ａ、６ｂは、両ステー２ａ、２ｂの軸受３よりも左側の部分を、長さ方向の略中央から内側に所定の角度で折り曲げて構成したものであって、一方の掴み６ａの先端には、先端が尖った略円錐形状の嵌合突起８が設けられ、他方の掴み６ｂの先端には、一方の掴み６ａ側に突出する山形状の係合突起１０が設けられている。
【００２９】
嵌合突起８は、割ピン１５の頭部１６の内側に嵌合可能な形状、寸法に形成されている。具体的には、嵌合突起８の先端が割りピン１５の頭部１６から所定の長さ突出した位置に割りピン１５の頭部１６が嵌合されるように、嵌合突起８の周面のテーパ角度が設定されている。これにより、割りピン１５の頭部１６と嵌合突起８との間にガタ生じることなく、嵌合突起８の周面上の所定の位置に割りピン１５を取り付けることができる。
【００３０】
嵌合突起８の周面には、ラバーコーティングによる滑り止め９が設けられ、この滑り止め９によって嵌合突起８の周面と割りピン１５の頭部１６の内面との間の摩擦力が高められ、割りピン１５の頭部１６が嵌合突起８の周面上から脱落するのが防止される。
なお、ラバーコーティングに代わりに嵌合突起８の周面にローレット溝を設け、このローレット溝によって割りピン１５の頭部１６の脱落を防止する滑り止め９を構成してもよい。
【００３１】
係合突起１０は、掴み部６の両掴み６ａ、６ｂの開閉方向に対して所定で傾斜する、傾斜角度の異なる２つの傾斜面（第１傾斜面１１及び第２傾斜面１２）を有し、この２つの傾斜面１１、１２によって割りピン１５の２本の脚部１７、１８の先端間を開いて所定の角度に折り曲げることができる。
【００３２】
第１傾斜面１１は、両掴みの６ａ、６ｂ開閉方向と同一方向、又は両掴み６ａ、６ｂの開閉方向に対して所定の角度をなす先端側傾斜面１１ａと、先端側傾斜面１１ａに連続するとともに、両掴み６ａ、６ｂの開閉方向に対して所定の角度をなす後端側傾斜面１１ｂの２つの傾斜面から構成されている。先端側傾斜面１１ａは、先端から後端側傾斜面１１ｂとの境界までの長さが、割りピン１５の短い方の脚部１７の先端と長い方の脚部１８の先端との距離よりも長く形成されている。
【００３３】
第１傾斜面１１の先端側傾斜面１１ａと後述する第２傾斜面１２の先端側の部分とによって割りピン１５の２本の脚部１７，１８の先端間が最初に開かれ、第１傾斜面１１の後端側傾斜面１１ｂと第２傾斜面１２の後端側の部分とによって割りピン１５の２本の脚部１７、１８の先端間が更に開かれ、２本の脚部１７、１８の先端間が所定の角度に折り曲げられる。
【００３４】
第２傾斜面１２は、両掴み６ａ、６ｂの開閉方向に対して所定の角度をなす１つの傾斜面から構成されている。本実施の形態においては、第２傾斜面１２は、第１傾斜面１１の後端側傾斜面１１ｂよりも緩い角度に設定され、この第２傾斜面１２と第１傾斜面１１の先端側傾斜面１１ａ及び後端側傾斜面１１ｂとによって割りピン１５の２本の脚部１７、１８の先端間が開かれて所定の角度に折り曲げられる。
【００３５】
本実施の形態においては、割りピン１５の２本の脚部１６、１７の先端間を開いて４５°以上に折り曲げることができるように、係合突起１０の第１傾斜面１１の後端側傾斜面１１ｂの傾斜角度、及び第２傾斜面１２の傾斜角度が設定されている。具体的には、第２傾斜面１２は、両掴み６ａ、６ｂの開閉方向に対して２２．５°以上の傾斜角度に設定され、第１傾斜面１１の後端側傾斜面１１ｂは、両掴み６ａ、６ｂの開閉方向に対して第２傾斜面１２よりも傾斜がきつくなるように、傾斜角度が設定されている。
【００３６】
そして、上記のように構成した本実施の形態のペンチ１を用いて、碍子連の隣接する碍子間の連結作業を行うには、図３に示すように、隣接する一方の碍子のＵ型金具と他方の碍子のＩ型金具とを合わせ、Ｕ型金具のピン挿通孔とＩ型金具のピン挿通孔との間に連結ピン２０を挿入し、Ｕ型金具から突出させた連結ピン２０の先端のピン孔２１内に割りピン１５の２本の脚部１７、１８を挿入し、割りピン１５の頭部１６をピン孔２１の一端開口に係止させ、２本の脚部１７、１８の先端をピン孔２１の他端開口から突出させる。
【００３７】
そして、図４に示すように、ペンチ１の操作部７の両柄７ａ、７ｂを開く方向に操作して、掴み部６の両掴み６ａ、６ｂ間の間隔を拡げ、この状態で、一方の掴み６ａの先端の嵌合突起８を割りピン１５の頭部１６の内側に嵌合させ、他方の掴み６ｂの先端の係合突起１０を割りピン１５の２本の脚部１７、１８の先端の外側に位置させる。
【００３８】
そして、図５に示すように、ペンチ１の操作部７の両柄７ａ、７ｂを閉じる方向に操作して、掴み部６の両掴み６ａ、６ｂを閉じる方向に動かし、他方の掴み６ｂの先端の係合突起１０の先端を割りピン１５の２本の脚部１７、１８の先端間に合わせ、両掴み６ａ、６ｂを閉じる方向に更に動かすことにより、係合突起１０の先端の第１傾斜面１１の先端側傾斜面１１ａ及び第２傾斜面１２の先端側の部分を２本の脚部１７、１８の先端間に押し込み、２本の脚部１７、１８の先端間を開いていく。
【００３９】
そして、図６に示すように、両掴み６ａ、６ｂを閉じる方向に更に動かすことにより、係合突起１０の第1傾斜面１１の後端側傾斜面１１ｂ及び第２傾斜面１２の後端側の部分を２本の脚部１７、１８の先端間に更に押し込み、２本の脚部１７、１８の先端間を更に開き、両脚部１７、１８の先端間を４５°以上の角度に折り曲げ、割りピン１５を連結ピン２０のピン孔２１内に取り付ける。
【００４０】
そして、このような割りピン１５のピン孔２１への取り付け作業を各隣接する碍子に対して繰り返し行うことにより、複数枚の碍子を連結してなる碍子連を構成することができる。
【００４１】
上記のように構成した本実施の形態のペンチ１にあっては、一方の掴み６ａの先端の嵌合突起８を割りピン１５の頭部１６の内側に嵌合させるように構成したので、他方の掴み６ｂの先端の係合突起１０で割りピン１５の２本の脚部１７、１８の先端間を開いて折り曲げる場合に、割りピン１５が連結ピン２０のピン孔２１内で回転するようなことはなく、他方の掴み６ｂの先端の係合突起１０を２本の脚部１７、１８の先端間に確実に押し込むことができ、割りピン１５のピン孔２１内への取り付け作業を容易に行うことができる。
【００４２】
また、一方の掴み６ａの先端の嵌合突起８で割りピン１５を支持することができるので、送電鉄塔上の高所作業においても、割りピン１５を誤って落下させるようなことはなく、割りピン１５のピン孔２１への取り付け作業を効率よく行うことができる。
【００４３】
また、他方の掴み６ｂの先端の係合突起１０を２本の脚部１７、１８間に押し込むことにより、２本の脚部１７、１８間を開いて所定の角度に折り曲げることができるので、ペンチ１で割りピン１５の２本の脚部１７、１８を折り曲げる際に、ペンチ１が碍子に誤って当たって、碍子の陶器の部分を損傷させるようなことはない。
【００４４】
また、係合突起１０を第１傾斜面１１と第２傾斜面１２の２つの傾斜面で構成するとともに、第１傾斜面１１を傾斜角度の異なる先端側傾斜面１１ａと後端側傾斜面１１ｂの２つの傾斜面で構成しているので、長さの異なる２本の脚部１７、１８の先端間に係合突起１０を確実に押し込んで、２本の脚部１７、１８の先端間を開いて所定の角度に折り曲げることができ、割りピン１５のピン孔２１への取り付け作業を効率よく行うことができる。
【００４５】
さらに、割りピン１５の２本の脚部１７、１８間に他方の掴み６ｂの先端の係合突起１０を押し込むことにより、２本の脚部１７、１８を所定の角度に折り曲げることができので、作業者によって２本の脚部１７、１８の折り曲げ角度に誤差が生じることがない。従って、作業者によって割りピン１５の２本の脚部１７、１８のピン孔２１への挿入不足や、折り曲げ角度の不足が生じることはなく、常に一定の品質で割りピン１５をピン孔２１に取り付けることができる。
【００４６】
さらに、他方の掴み６ｂの先端の係合突起１０は、所定の角度の第１傾斜面１１と第２傾斜面１２を有しているので、この係合突起１０をピン孔２１内に既に取り付けされている割ピン１５の脚部１７、１８の内側に当てることにより、脚部１７、１８が所定の角度以上に折り曲げられているか否かの検査を行うこともできる。
【００４７】
なお、前記の説明においては、本発明によるペンチ１を碍子連の隣接する碍子間を連結する連結ピン２０のピン孔２１への割りピン１５の取り付け作業に適用したが、その他の連結ピンのピン孔への割りピンの取り付け作業、各種の軸のピン孔への割りピンの取り付け作業等に適用してもよいものであり、その場合にも同様の作用効果を奏する。
【符号の説明】
【００４８】
１  ペンチ
２ａ  一方のステー
２ｂ  他方のステー
３  軸受
４  ブッシュ
５  支持軸
６  掴み部
６ａ  一方の掴み
６ｂ  他方の掴み
７  操作部
７ａ  一方の柄
７ｂ  他方の柄
８  嵌合突起
９  滑り止め
１０  係合突起
１１  第１傾斜面
１１ａ  先端側傾斜面
１１ｂ  後端側傾斜面
１２  第２傾斜面
１５  割りピン
１６  頭部
１７  脚部
１８  脚部
２０  連結ピン
２１  ピン孔
【図１】
2013240836.tif 000003
【図２】
2013240836.tif 000004
【図３】
2013240836.tif 000005
【図４】
2013240836.tif 000006
【図５】
2013240836.tif 000007
【図６】
2013240836.tif 000008